(57)【要約】【課題】  実際に浄水中であるか否かを検知して、浄水中である場合にそのことを報知できるようにする。【解決手段】  蛇口からの水の流路を切り替える流路切替装置と水を浄化する浄水器本体とを結ぶホースを流れる水の流量を検知する圧力センサ２９２と、流路切替装置による流路の切替状態が浄水取出状態にあるか否かを検知する流路判別手段２６０と、圧力センサ２９２と流路判別手段２６０との各検知結果に従って発光する青色ＬＥＤ２５１と、圧力センサ２９２によって所定流量の水がホースを流れていることが検知され、かつ流路判別手段２６０によって浄水取出状態にあることが検知された場合に青色ＬＥＤ２５１に対して浄水中であることを示す発光を行うように命令するＣＰＵ６００とを備える。【選択図】  図８
2005161149.tif 000002
【特許請求の範囲】
【請求項１】
蛇口からの水の流路を切り替える流路切替装置と、前記流路切替装置に対してホースを通じて接続されており当該ホースを流れてくる水を浄化する浄水器本体とを備えた浄水器において、
前記ホースを流れる水の流量を検知する圧力センサと、
前記流路切替装置による流路の切替状態が浄水取出状態にあるか否かを検知する流路判別手段と、
前記圧力センサと前記流路判別手段との各検知結果に従って発光する光源と、
前記圧力センサによって所定流量の水が前記ホースを流れていることが検知され、かつ前記流路判別手段によって浄水取出状態であることが検知された場合に前記光源に対して浄水中であることを示す発光を行うように命令する命令手段とを備えることを特徴とする浄水器。
【請求項２】
前記命令手段は、前記圧力センサによって所定流量の水が前記ホースを流れていることが検知され、かつ前記流路判別手段によって浄水取出状態ではないことが検知された場合に前記前記光源に対して逆洗中であることを示す発光を行うように命令することを特徴とする請求項１記載の浄水器。
【請求項３】
前記流路切替装置の少なくとも一部は、透光性を有する部材からなるとともに、この透孔性を有する部材からなる部分には、前記浄水器本体で浄化された水を吐出するための吐出路が、前記流路切替装置本体の上部から側部にかけて形成されており、
前記光源は、前記流路切替装置本体の上部と側部とからなる角部の内側に、当該角部へ向けて照射するように設置されていることを特徴とする請求項１又は２記載の浄水器。
【請求項４】
前記流路切替装置には、少なくとも浄水と逆洗とを切り替えるためのレバーが取り付けられており、
前記流路判別手段は、前記レバーの回動位置が浄水位置にあるか否かを検出する手段で構成されていることを特徴とする請求項１〜３のいずれか１つに記載の浄水器。
【発明の詳細な説明】
【技術分野】
【０００１】
本発明は、浄水器に関し、特に、浄水中であることを光によって報知可能な浄水器に関する。
【背景技術】
【０００２】
従来、浄水器は、水を浄化してから吐出するだけでなく、水を浄化することなく原水のまま吐出するものがあった。
【０００３】
また、浄水器本体に収容されている浄水フィルタの交換を促すことができたり（特許文献１）、浄水フィルタの目詰まりを防止するために逆洗等ができるようにされていた（特許文献２）。
【特許文献１】特開２００２−３４８９２１号公報
【特許文献２】特開平０９−０５７２６０号公報
【発明の開示】
【発明が解決しようとする課題】
【０００４】
しかし、従来の技術は、浄水中であることを報知することができないので、例えば浄水時と逆洗時とにおける水の吐出口を同じにしている場合には、逆洗しているときに吐出される水を、浄水されていると誤って使用することもある。
【０００５】
これでは、折角の浄水器を満足に使用できないばかりではなく、吐出される水に浄化フィルタ内の活性炭等の粉末が混入している場合もあるので、たとえ飲料による人害はなくても、用途によっては優れない場合もある。
【０００６】
また、冷水と熱水とを適宜の比率で混合して供給できるようにした蛇口に適用する場合には、浄水フィルター側に熱水が流れるとフィルターが損傷を受けるため、浄水時には熱水を流さないようにしなければならない。しかし、浄水を流しているのか、通常の水を流しているのかがわからないと、浄水時に熱水を流してしまうこともある。
【０００７】
ここで、例えば、蛇口から浄水器本体へと流路を形成しているか否かを検知し、実際に蛇口から浄水器本体へと流路を形成してあることが検知されたことを条件として、浄水中である旨を報知することも考えられるが、この場合には、実際に蛇口をひねってなくて、水が流れていない場合でも放置されてしまうという不都合があり、採用しがたい。
【０００８】
したがって、本発明の目的は、実際に浄水中であるか否かを検知して、浄水中である場合にそのことを報知できるようにした浄水器を提供することにある。
【課題を解決するための手段】
【０００９】
上記課題を解決するため、本発明による浄水器は、蛇口からの水の流路を切り替える流路切替装置と、前記流路切替装置に対してホースを通じて接続されており当該ホースを流れてくる水を浄化する浄水器本体とを備えた浄水器において、前記ホースを流れる水の流量を検知する圧力センサと、前記流路切替装置による流路の切替状態が浄水取出状態にあるか否かを検知する流路判別手段と、前記圧力センサと前記流路判別手段との各検知結果に従って発光する光源と、前記圧力センサによって所定流量の水が前記ホースを流れていることが検知され、かつ前記流路判別手段によって浄水取出状態であることが検知された場合に前記光源に対して浄水中であることを示す発光を行うように命令する命令手段とを備えることを特徴とする。
【００１０】
本発明によれば、圧力センサによって実際に浄水中であるか否かを検知するようにするとともに、検知結果に応じて光源を発光させるようにしているので、浄水中である場合にだけ、そのことを報知できるようになる。
【００１１】
本発明の実施態様においては、前記命令手段は、前記圧力センサによって所定流量の水が前記ホースを流れていることが検知され、かつ前記流路判別手段によって浄水取出状態ではないことが検知された場合に前記前記光源に対して逆洗中であることを示す発光を行うように命令することが好ましい。
【００１２】
この態様によれば、逆洗中であることを報知することによって、逆洗中に吐出される水が浄化された水であると誤認するという事態が生じないようになる。
【００１３】
また、前記流路切替装置の少なくとも一部は、透光性を有する部材からなるとともに、この透孔性を有する部材からなる部分には、前記浄水器本体で浄化された水を吐出するための吐出路が、前記流路切替装置本体の上部から側部にかけて形成されており、前記光源は、前記流路切替装置本体の上部と側部とからなる角部の内側に、当該角部へ向けて照射するように設置されていることが好ましい。
【００１４】
この態様によれば、吐出される水に光を照射することが可能となるので、吐出される水に対して美感等を与えるという演出的な効果がもたらされる。
【００１５】
更に、前記流路切替装置には、少なくとも浄水と逆洗とを切り替えるためのレバーが取り付けられており、前記流路判別手段は、前記レバーの回動位置が浄水位置にあるか否かを検出する手段で構成されていることが好ましい。
【００１６】
この態様によれば、簡易に浄水と逆洗とを切り替えられるとともに、浄水と逆洗とのいずれであるかの検知も容易に行えるようになる。
【発明の効果】
【００１７】
以上説明したように、本発明によると、圧力センサ及び流路判別手段によって実際に浄水中であるか否かを検知するとともに、検知結果に応じて光源を発光させるようにしているので、浄水中である場合にだけ、そのことを報知できる。その結果、逆洗時の水を飲用等に利用してしまったり、浄水時に熱水を流してしまったりする操作ミスを防ぐことができる。
【発明を実施するための最良の形態】
【００１８】
以下、本発明の実施形態について図面を参照して説明する。      
図１は、本発明の実施形態の浄水器の模式的な外観図である。
【００１９】
水道の蛇口に取り付けられ蛇口からの水の流路を切り替える流路切替装置２００と、流路切替装置２００を介して流れてきた水を浄化する浄水フィルタが着脱可能な浄水器本体１００とを、コネクタ２６０ａ，１１０が両端に取り付けられたホース３００で接続した状態を示している。
【００２０】
流路切替装置２００は、水道の蛇口に流路切替装置２００本体を取り付ける蛇口取付部２３０が本体上面に形成されている。蛇口取付部２３０の隣りには、浄水器本体１００内の浄水フィルタへのリットル値等による水の積算流量、浄水フィルタの交換時期、逆洗の必要時期、通水等を報知するための表示器２４０が設けられている。
【００２１】
また、流路切替装置２００は、水の流路を切り替えるために回転させるレバー２１０が本体側面に、筒状軸部２２０ａ，２２０ｂによって回転可能に取り付けられている。
【００２２】
本実施形態では、レバー２１０の回転角度に応じて、蛇口取付部２３０から流入した水を、浄水器本体１００で浄水してから吐出する場合と、浄水器本体１００で浄水することなく原水ストレートで吐出する場合と、浄水器本体１００で浄水することなく原水シャワーにして吐出する場合と、浄水フィルター等の目詰まりを防止するため浄水時とは逆方向に水を流すために逆洗する場合とにおける各流路を切替可能としている。
【００２３】
なお、レバー２１０に代えて、角度センサと、回転バルブ（図２）を回転させる回転機構と、切替指示をするボタン等の指示入力部とを設けて、指示入力部から入力されるユーザの指示に応じて、角度センサ及び回転機構によって回転バルブの回転位置を制御するようにしてもよい。
【００２４】
更に、流路切替装置２００は、本体側面であってレバー２１０の取付位置と直交する位置の上下に、ホース３００のコネクタ２６０ａ等を覆うソケットカバー２７０が形成されている。
【００２５】
なお、本実施形態では、流路切替装置２００本体の材料を、透光性を有するスケルトンタイプのプラスチック等としており、浄水時の流路に切り替えているのか逆洗時の流路に切り替えているのかを報知するための光源２５０を本体内部に設けている。因みに、光源２５０は表示器２４０と一体型としてもよいし、これに代えてスピーカ等で流路の切替情報をユーザに報知するようにしてもよい。
【００２６】
ホース３００は、ホース３１０，３２０という例えば２本からなる。流路切替装置２００によって浄水時の流路に切り替えている場合には、蛇口から流入した水はホース３２０を通じて流路切替装置２００から浄水器本体１００へ向けて流れ、また浄化された水はホース３１０を通じて浄水器本体１００から流路切替装置２００へ向けて流れるようになる。
【００２７】
一方、逆洗時の流路に切り替えている場合には、蛇口から流入した水はホース３１０を通じて流路切替装置２００から浄水器本体１００へ向けて流れ、また逆洗した水はホース３２０を通じて浄水器本体１００から流路切替装置２００へ向けて流れるようになる。
【００２８】
図２は、図１に示す流路切替装置２００を浄水時の流路に切り替えているときの内部構成図である。なお、図２において、図１に示した部分と同一の部分には同一符号を付している。また、図２には、説明の都合上、図３〜図５に図示している部分については一部図示を省略している。
【００２９】
図２（Ａ）は、図１に示す流路切替装置２００の内部構成を示す斜視図である。図２（Ｂ）は、図１に示す表示器２４０の分解斜視図である。図２（Ｃ）は、図２（Ａ）に示すユニット収納部２０７に収納される圧力測定調整ユニット２９０の分解斜視図である。図２（Ｄ）は、図２（Ａ）に示す回転バルブ２８０のａ−ａ’断面図である。
【００３０】
図２（Ａ）に示すように、流路切替装置２００は、蛇口取付部２３０直下に、レバー２１０の回転角度に応じた流路に切り替えるための回転バルブ２８０を備えている。
【００３１】
また、流路切替装置２００には、レバー２１０の筒状軸部２２０ａ，２２０ｂと連結される受け部材２０１，２０２が形成されている。受け部材２０２側には、回転バルブ２８０本体を回転させる回転支持部２８８が位置しており、回転支持部２８８はレバー２１０の筒状軸部２２０ｂに連結されている。このため、レバー２１０を回転すると、それに伴って回転バルブ２８０は回転する。
【００３２】
回転バルブ２８０には、蛇口取付部２３０からの水が流入する流入部２８６と、流入部２８６からの流入した水が内側に流れる外筒部２８１と、外筒部２８１の周壁に形成されており外筒部２８１を流れる水を浄水時に浄水器本体１００へ流出する浄水用流出口２８４と、外筒部２８１の周壁に形成されており浄水時に浄水器本体１００からの水を流入する浄水用流入口２８５と、浄水時に浄水用流入口２８５から流入した水が内側に流れる内筒部２８７と、外筒部２８１の周壁に形成されており外筒部２８１の内側を流れる水を逆洗時に浄水器本体１００へ流出する逆洗用流出口２８３と、外筒部２８１の周壁に形成されており逆洗時に浄水器本体１００からの水を流入する逆洗用流入口２８２とを形成している。
【００３３】
また、回転バルブ２８０の隣りであってソケットカバー２７０側には、後述する圧力測定調整ユニット２９０が収納されるユニット収納部２０７を設けている。
【００３４】
更に、流路切替装置２００は、表示器２４０下に位置しており、原水シャワー時の流路の一部となる環状流路２０３を形成している。環状流路２０３の底部には、例えば環状となるように複数の原水シャワー吐出口２０４を形成している。
【００３５】
環状流路２０３の隣りであって受け部材２０１側には、浄水時の流路の一部となる浄水吐出路２０６を形成している。浄水吐出路２０６の先端には浄水吐出口２０５を設けている。浄水吐出路２０６の角部の内側には、光が外部に向けて出射する向きに、光源２５０を構成する青色ＬＥＤ２５１及び赤色ＬＥＤ２５２を設置してある。
【００３６】
図２（Ｂ）に示すように、表示器２４０は、浄水器本体１００への水の流出積算量を表示する液晶表示器２４２を備えている。液晶表示器２４２は本体基板２４３に取り付けられる。本体基板２４３には液晶表示器２４２を駆動するドライバや、浄水フィルタの交換時期等を報知するためのＬＥＤ等が搭載されている。液晶表示器２４２及び本体基板２４３は、水の浸入等を防止するために、ゴムパッキン等を介して表示器カバー２４１によって流路切替装置２００本体上面が密閉される。
【００３７】
図２（Ｃ）には、ホース３００を流れる水の流量を検知する圧力センサ２９２と、水圧が所定値を超えたときに水を外部に逃がして圧力を調整する水圧調整弁２９１とを有する圧力測定調整ユニット２９０とを示している。水圧調整弁２９１は、その外周にフランジ２９１ａを有し、このフランジ２９１ａに圧力センサ２９２を取り付ける取付穴２９３が形成されている。フランジ２９１ａは、ユニット収納部２０７の開口部に嵌着する形状とされ、その外周にはシールリング２９１ｂが装着されている。フランジ２９１ａをユニット収納部２０７の開口部に嵌着させることによって、圧力センサ２９２と水圧調整弁２９１とが流路内に設置される。
【００３８】
図２（Ｄ）に示すように、浄水時には、流入部２８６からの水は外筒部２８１、浄水用流出口２８４及びホース３２０を通じて、浄水器本体１００へ向けて流れる。そして、浄水器本体１００からの水はホース３１０、浄水用流入口２８５、内筒部２８７及び浄水吐出路２０６を通じて、浄水吐出口２０５から吐出される。
【００３９】
この際、流路切替装置２００へ流入して浄水器本体１００へ流れる水の流量は圧力センサ２９２で検知され、圧力センサ２９２で検知された水の流量に応じた信号が後述するＣＰＵへ出力される。
【００４０】
また、流路切替装置２００内の水圧が所定値を超えた場合には、水圧調整弁２９１を通じて水が外部に流出し、水圧の上昇を抑える。これによって、コネクタ２６０ａ，１１０が不用意に外れたり、流路切替装置２００や浄水器本体１００が破損したりすることを防止するようにしている。
【００４１】
図３は、図１に示す流路切替装置２００を原水シャワー時の流路に切り替えているときの内部構成図である。なお、図３において、図１等に示した部分と同一の部分には同一符号を付している。
【００４２】
図３（Ａ）は、図１に示す流路切替装置２００の内部構成を示す斜視図である。図３（Ｂ）は、図３（Ａ）に示す回転バルブ２８０のａ−ａ’断面図である。
【００４３】
図３（Ａ）に示す回転バルブ２８０は、図２（Ａ）に示す回転バルブ２８０に比して、ａ’方向からみて時計回りに回転させた状態で図示している。回転バルブ２８０がこの回転角度となる場合には、流路切替装置２００へ流入した水は浄水器本体１００側へ流れることなく環状流路２０３側へ流れ、環状流路２０３へ流れた水は各原水シャワー吐出口２０４から吐出される。
【００４４】
具体的には、図３（Ｂ）に示すように、原水シャワー時には、流入部２８６からの水は外筒部２８１を流れ、外筒部２８１の外側面に設けられた原水シャワー用流出口２８９ａを通じて、環状流路２０３側へ流れる。
【００４５】
環状流路２０３の外側面には原水シャワー用流出口２８９ａと同じ径で同じ大きさの原水シャワー用流入口２８９ｂが設けられており、回転バルブ２８０が図３（Ａ）に示す回転角度のときに、原水シャワー用流出口２８９ａと原水シャワー用流入口２８９ｂとが連結するように位置する。
【００４６】
このため、回転バルブ２８０側から流出された水は、原水シャワー用流入口２８９ｂを通じて環状流路２０３へと流入し、各原水シャワー吐出口２０４から吐出される。
【００４７】
図４は、図１に示す流路切替装置２００を原水ストレート時の流路に切り替えているときの内部構成図である。なお、図４において、図１等に示した部分と同一の部分には同一符号を付している。
【００４８】
図４（Ａ）は、図１に示す流路切替装置２００の内部構成を示す斜視図である。図４（Ｂ）は、図４（Ａ）に示す回転バルブ２８０のａ−ａ’断面図である。
【００４９】
図４（Ａ）に示す回転バルブ２８０は、図３（Ａ）に示す回転バルブ２８０に比して、ａ’方向からみて時計回りに回転させた状態で図示している。回転バルブ２８０がこの回転角度となる場合には、流路切替装置２００へ流入した水は浄水器本体１００側にも環状流路２０３側にも流れることなく、蛇口取付部２３０の下方に位置する原水ストレート吐出口２９６ｂから吐出される。
【００５０】
具体的には、図４（Ｂ）に示すように、原水ストレート時には、流入部２８６からの水は外筒部２８１を流れ、外筒部２８１の外側面に設けられた原水ストレート用流出口２９６ａを通じて流出される。流路切替装置２００本体の底部には、原水ストレート用流出口２９６ａと同じ径で同じ大きさの原水ストレート用吐出口２９６ｂが設けられており、回転バルブ２８０が図４（Ａ）に示す回転角度のときに、原水ストレート用流出口２９６ａと原水ストレート用吐出口２９６ｂとが連結するように位置する。
【００５１】
このため、回転バルブ２８０側から流出された水は、原水ストレート用流入口２９５ｂを通じて原水ストレート吐出口２９６ｂから吐出される。
【００５２】
図５は、図１に示す流路切替装置２００を逆洗時の流路に切り替えているときの内部構成図である。なお、図５において、図１等に示した部分と同一の部分には同一符号を付している。
【００５３】
図５（Ａ）は、図１に示す流路切替装置２００の内部構成を示す斜視図である。図５（Ｂ）は、図５（Ａ）に示す回転バルブ２８０のａ−ａ’断面図である。
【００５４】
図５（Ａ）に示す回転バルブ２８０は、図２（Ａ）に示す回転バルブ２８０に比して、ａ’方向からみて反時計回りに回転させた状態で図示している。回転バルブ２８０がこの回転角度となる場合には、流路切替装置２００へ流入した水は浄水器本体１００側へ流れることになるが、図２（Ａ）の場合と異なり、浄水器本体１００へ向けて流れる水はホース３１０を通ることになる。
【００５５】
具体的には、図５（Ｂ）に示すように、逆洗時には、流入部２８６からの水は外筒部２８１、逆洗用流出口２８３及びホース３１０を通じて、浄水器本体１００へ向けて流れる。そして、浄水器本体１００からの水はホース３２０、逆洗用流入口２８２及び外筒部２８１を通じて、原水ストレート吐出口２９６ｂから吐出される。或いは、浄水器本体１００からの水はホース３２０、逆洗用流入口２８２及び内筒部２８７を通じて、浄水吐出口２０５から吐出される。
【００５６】
この際、浄水器本体１００から流路切替装置２００へ流入する水の流量は圧力センサ２９２で検知され、浄水時と同様に、圧力センサ２９２から流量に応じた信号が後述するＣＰＵへ出力される。
【００５７】
図６は、図１に示す流路切替装置２００の側面からみた断面図である。図６には、図１等に示した部分に加えて、ホース３００のコネクタ２６０ａと連結されるソケット２０６ｂを示している。なお、図６において、図１等に示した部分と同一の部分には同一符号を付している。
【００５８】
図６に示すように、浄水吐出路２０６は流路切替装置２００本体の上部を通り、流路切替装置２００本体の角部で下方向に曲がるように形成している。なお、浄水吐出路２０６の先端には、前記浄水吐出口２０５を設けている。
【００５９】
そして、浄水吐出路２０６の屈曲した角部の内側には、流路切替装置２００本体の角部に出射面を向けて、青色ＬＥＤ２５１及び赤色ＬＥＤ２５２を配置している。なお、出射面の前方には、透明なハウジングを肉厚にして形成したレンズ２５３が形成されており、出射光が浄水吐出路２０６に向けて効果的に照射されるようにしている。本実施形態では、浄水時には青色ＬＥＤ２５１を点灯させ、逆洗時には赤色ＬＥＤ２５２を点灯させるようにしている。流路切替装置２００本体のハウジングは、全体が透光性である必要はなく、例えば上記浄水吐出路２０６の屈曲した角部のみが透光性であってもよい。
【００６０】
なお、原水ストレート時用、原水シャワー時用のＬＥＤを別途設けたり、青色ＬＥＤ２５１及び赤色ＬＥＤ２５２を点滅させるなど、表示態様を変更することで、原水ストレート時、原水シャワー時等を報知するようにしてもよい。
【００６１】
図７は、図１に示す流路切替装置２００の流路判別手段を示す説明図である。      
図７（Ａ）は、図２等に示す軸受け部材２０２に収容される回転バルブ軸受け板２２１を示す平面図である。図７（Ｂ）は、図７（Ａ）に示す回転バルブ軸受け板２２１の斜視図である。図７（Ｃ）は、図１に示すレバー２１０の筒状軸部２２０ｂの基部２１３の内側を示す斜視図である。
【００６２】
図７（Ａ），図７（Ｂ）に示すように、回転バルブ軸受け板２２１の中央には、回転バルブ２８０の回転支持部２８８を通す軸穴２２２を形成している。
【００６３】
軸穴２２２近傍には、レバー２１０の回転角度を検知するためのリードスイッチ２２８を収容するリードスイッチ収容部２２４と、リードスイッチ２２８のリード線２２９を収容するリード線収容部２２３とを形成している。
【００６４】
また、軸穴２２２及びリードスイッチ収容部２２４の近傍には、レバー２１０の回転角を規制する回転角規制用ストッパ２２６を形成している。
【００６５】
更に、回転バルブ軸受け板２２１の外縁には、軸受け部材２０２に回転バルブ軸受け板２２１を取り付けるためのねじを通す、４つのねじ穴２２５ａ〜２２５ｄを形成してある。
【００６６】
一方、レバー基部２１３は、図７（Ｃ）に示すように、回転バルブ２８０の回転支持部２８８と嵌合する嵌合穴２１４を形成している。
【００６７】
嵌合穴２１４の近傍には、磁石取付け孔２１２ａが形成され、この磁石取付け孔２１２ａに磁石２１１が圧入されている。なお、もう一つの磁石取付け孔２１２ａを形成し、ここにも磁石２１１を圧入して、レバー２１０の回動位置を２箇所で検知するようにしてもよい。
【００６８】
そして、磁石２１１と距離に応じてリードスイッチ２２８から出力される電気信号のレベルに基づいて、レバー２１０の回転角度を検知することにしている。
【００６９】
具体的には、図７（Ａ）に示すように、原水シャワー時となる位置から、レバー２１０を時計回りに例えば３５度回転させると浄水のための流路が形成され、更に、レバー２１０を時計回りに例えば５５度回転させると逆洗のための流路が形成されるように構成されている。
【００７０】
なお、レバー２１０側にリードスイッチ２２８を取り付け、回転バルブ軸受け板２２１側に磁石２１１を取り付けるようにしてもよい。
【００７１】
また、流路判別手段としては、ホース３００を流れる水の向きを検知する手段を採用することもできる。すなわち、圧力センサ２９２が水の流れを検知した場合には、ホース３００を通して浄水器本体１００を通過する水が流れていることを意味するので、浄水時又は逆洗時であることを意味する。したがって、このときのホース３００を流れる水の向きを検知すれば、浄水時であるか、あるいは逆洗時であるかを判別できることになる。このような水の流れを検知する手段としては、ホース３００に連通する流路にバタフライ弁等を配置し、水の流れによって弁が揺動する方向を検出するセンサなどが採用できる。
【００７２】
図８は、図１に示す流路切替装置２００に内蔵されているＣＰＵ６００等の回路構成図である。
【００７３】
図８には、図１等を用いて説明した圧力センサ２９２と、表示器２４０と、青色ＬＥＤ２５１と、赤色ＬＥＤ２５２とに加えて、圧力センサ２９２から出力される圧力に基づく周波数をＣＰＵ６００で処理可能とするために分周する分周器５００と、図７に示す磁石２１１及びリードスイッチ２２８を有する水の流路判別手段２６０と、分周器５００及び流路判別手段２６０からの各信号に従って表示器２４０と青色ＬＥＤ２５１と赤色ＬＥＤ２５２との少なくとも一つに対して表示／発光命令を行ったり分周器５００からの信号に基づいて浄水器本体１００への水の積算流量を算出するＣＰＵ６００とを示している。
【００７４】
本実施形態では、圧力センサ２９２側から所定流量を検知したことを示す信号が出力され、かつ流路判別手段２６０から浄水時の水の流れを検知したことを示す信号が出力されたときに、ＣＰＵ６００から青色ＬＥＤ２５１へ発光命令を行うとともに、浄水器本体１００への水の積算流量を算出して表示器２４０へ表示命令を行うようにしている。
【００７５】
一方、圧力センサ２９２側から所定流量を検知したことを示す信号が出力され、かつ流路判別手段２６０からの検知信号によって逆洗時の水が流れていると判断された場合には、ＣＰＵ６００から赤色ＬＥＤ２５２へ発光命令を行うようにしている。
【００７６】
このように、浄水時には、浄水吐出口２０５から吐出される水に青色ＬＥＤからの出射光を当てることによって清流感を与えるとともに、逆洗時には、赤色ＬＥＤを発光させて飲料用などにしないように注意を促すようにしている。
【００７７】
図９は、図８に示すＣＰＵ６００の動作を示すプログラムである。本実施形態では、例えば０．５秒ごとに繰り返しループが形成されるようにしている。
【００７８】
まず、圧力センサ２９２側からの周波数の変化の有無に基づいて、通水しているか否かを判定する（ステップＳ１）。
【００７９】
ステップＳ１の判定の結果、通水していない場合には、表示器２４０が通水表示中か否かを、後述する通水フラグの有無に基づいて判定する（ステップＳ１６）。
【００８０】
ステップＳ１６の判定の結果、表示器２４０が通水表示中でない場合には、ステップＳ１へ移行する。一方、表示器２４０が通水表示中である場合には、表示停止命令を行うとともに通水フラグをオフしてからステップＳ１へ移行する（ステップＳ１７）。
【００８１】
また、ステップＳ１の判定の結果、通水している場合には、表示器２４０に対して通水表示命令を行ったか否かを通水フラグの有無に基づいて判定する（ステップＳ２）。
【００８２】
ステップＳ２の判定の結果、表示器２４０に対して通水表示命令を行った場合には、重複して通水表示命令を行う必要がないので、ステップＳ４へ移行する。一方、表示器２４０に対して通水表示命令を行っていない場合には、通水フラグをオンするとともに、表示器２４０に対して通水表示命令を行う（ステップＳ３）。
【００８３】
つづいて、流路判別手段２６０の検知結果に基づいて、浄水中であるか否かを判定する（ステップＳ４）。
【００８４】
ステップＳ４の判定の結果、浄水中でない場合、すなわち逆洗中の場合にはステップＳ１１へ移行する。一方、浄水中である場合には、青色ＬＥＤ発光命令済みであるか否かを判定する（ステップＳ５）。
【００８５】
ステップＳ５の判定の結果、青色ＬＥＤ発光命令済みである場合には、重複して青色ＬＥＤ発光命令を行う必要がないので、ステップＳ８へ移行する。一方、青色ＬＥＤ発光命令済みでない場合には、青色ＬＥＤ発光命令を行うとともに、青色ＬＥＤ発光の停止までを計時（例えばオンしてから５秒間を計時）するタイマをオンする（ステップＳ６）。
【００８６】
つづいて、浄水器本体１００への水の積算流量を算出するとともに、算出結果を表示器２４０へ表示するように表示命令を行う（ステップＳ７）。
【００８７】
その後、青色ＬＥＤ発光済みであるか否か、すなわち既に青色ＬＥＤ２５１の発光が終了しているか否かを判定する（ステップＳ８）。
【００８８】
青色ＬＥＤ発光済みである場合には、再度青色ＬＥＤ２５１を発光する必要がないので、ステップＳ１へ移行する。一方、青色ＬＥＤ発光済みでない場合には、ステップＳ６でオンしたタイマがタイムアウトしたか否かを判定する（ステップＳ９）。
【００８９】
ステップＳ９の判定の結果、タイマがタイムアウトしていない場合には、ステップＳ１へ移行する。一方、タイマがタイムアウトした場合には青色ＬＥＤ２５１の発光を停止する停止命令を行ってからステップＳ１へ移行する（ステップＳ１０）。
【００９０】
一方、ステップＳ４の判定の結果、浄水中でない場合、すなわち逆洗中の場合には赤色ＬＥＤ発光命令済みであるか否かを判定する（ステップＳ１１）。
【００９１】
ステップＳ１１の判定の結果、赤色ＬＥＤ発光命令済みである場合には、重複して赤色ＬＥＤ発光命令を行う必要がないので、ステップＳ１３へ移行する。一方、赤色ＬＥＤ発光命令済みでない場合には、赤色ＬＥＤ発光命令を行うとともに、赤色ＬＥＤ発光の停止までを計時（例えばオンしてから５秒間を計時）するタイマをオンする（ステップＳ１２）。
【００９２】
その後、赤色ＬＥＤ発光済みであるか否か、すなわち既に赤色ＬＥＤ２５２の発光が終了しているか否かを判定する（ステップＳ１３）。
【００９３】
赤色ＬＥＤ発光済みである場合には、再度赤色ＬＥＤ２５２を発光する必要がないので、ステップＳ１へ移行する。一方、赤色ＬＥＤ発光済みでない場合には、ステップＳ１２でオンしたタイマがタイムアウトしたか否かを判定する（ステップＳ１４）。
【００９４】
ステップＳ１４の判定の結果、タイマがタイムアウトしていない場合には、ステップＳ１へ移行する。一方、タイマがタイムアウトした場合には赤色ＬＥＤ２５２の発光を停止する停止命令を行ってからステップＳ１へ移行する（ステップＳ１５）。
【００９５】
以上説明したプログラムを実行することによって、原水ストレート中、原水シャワー中及び蛇口を閉めている場合には、表示器２４０に通水表示がされないようになるとともに、青色ＬＥＤ２５１及び赤色ＬＥＤ２５２が点灯されないようになる。
【００９６】
一方、浄水中或いは逆洗中には表示器２４０に通水表示がされるとともに、浄水開始から例えば５秒間、青色ＬＥＤ２５１が発光することになるし、逆洗開始から例えば５秒間、赤色ＬＥＤ２５２が発光することになる。
【００９７】
なお、ステップＳ７における積算流量の算出結果が所定量となる度に、逆洗が必要であることを示すランプ表示等を行うようにしてもよい。この場合には、赤色ＬＥＤ２５２を点灯する際にランプ表示等を停止すればよい。更には、ステップＳ１で通水と判定されてから、例えば５分以上通水が続く場合には、蛇口の閉め忘れを告げるアラームを出力するようにしてもよい。
【図面の簡単な説明】
【００９８】
【図１】本発明の実施形態の浄水器の模式的な外観図である。
【図２】図１に示す流路切替装置２００を浄水時の流路に切り替えているときの内部構成図である。
【図３】図１に示す流路切替装置２００を原水シャワー時の流路に切り替えているときの内部構成図である。
【図４】図１に示す流路切替装置２００を原水ストレート時の流路に切り替えているときの内部構成図である。
【図５】図１に示す流路切替装置２００を逆洗時の流路に切り替えているときの内部構成図である。
【図６】図１に示す流路切替装置２００の側面からみた断面図である。
【図７】図１に示す流路切替装置２００の流路判別手段の説明図である。
【図８】図１に示す流路切替装置２００に内蔵されているＣＰＵ６００等の回路構成図である。
【図９】図８に示すＣＰＵ６００の動作を示すプログラムである。
【符号の説明】
【００９９】
１００  浄水器本体
２００  流路切替装置
２０１，２０２  受け部材
２０３  環状流路
２０４  原水シャワー吐出口
２０５  浄水吐出口
２０６  浄水吐出路
２０７  ユニット収納部
２１０  レバー
２２０ａ，２２０ｂ  筒状軸部
２３０  蛇口取付部
２４０  表示器
２４１  表示器カバー
２４２  液晶表示器
２４３  本体基板
２５０  光源
２５１  青色ＬＥＤ
２５２  赤色ＬＥＤ
２６０  流路判別手段
２６０ａ，１１０  コネクタ
２７０  ソケットカバー
２８０  回転バルブ
２８１  外筒部
２８２  逆洗用流入口
２８３  逆洗用流出口
２８４  浄水用流出口
２８５  浄水用流入口
２８６  流入部
２８７  内筒部
２８８  回転支持部
２８９ａ  原水シャワー用流出口
２８９ｂ  原水シャワー用流入口
２９０  圧力測定調整ユニット
２９１  水圧調整弁
２９２  圧力センサ
２９３  取付穴
３００，３１０，３２０  ホース
【図１】
2005161149.tif 000003
【図２】
2005161149.tif 000004
【図３】
2005161149.tif 000005
【図４】
2005161149.tif 000006
【図５】
2005161149.tif 000007
【図６】
2005161149.tif 000008
【図７】
2005161149.tif 000009
【図８】
2005161149.tif 000010
【図９】
2005161149.tif 000011